【手続補正書】
【提出日】平成17年8月29日(2005.8.29)
【手続補正１】
【補正対象書類名】明細書
【補正対象項目名】発明の名称
【補正方法】変更
【補正の内容】
【発明の名称】情報表示制御装置及び情報表示制御プログラム
【手続補正２】
【補正対象書類名】明細書
【補正対象項目名】特許請求の範囲
【補正方法】変更
【補正の内容】
【特許請求の範囲】
【請求項１】
見出語と当該見出語の説明情報とを対応付けて複数記憶した記憶手段と、
複数の単語を含む例文を複数記憶した例文記憶手段と、
前記記憶手段に記憶された見出語のうちのいずれかの見出語に対応づけられた説明情報を表示する制御を行う説明情報表示制御手段と、
この説明情報表示制御手段によって表示された説明情報の中から、複数の単語を選択する選択手段と、
この選択手段により選択された複数の単語を含む例文を、前記例文記憶手段に記憶された例文から検索する例文検索手段と、
この例文検索手段により検索された例文を表示する制御を行う例文表示制御手段と、
を有することを特徴とする情報表示制御装置。
【請求項２】
前記例文記憶手段は種類毎に区分して例文を記憶する種類毎例文記憶手段を有し、
前記例文表示制御手段は、前記例文検索手段により検索された各例文について、当該例文が区分された種類を表す識別子を当該例文に対応付けて表示する識別子表示手段を有することを特徴とする請求項１に記載の情報表示制御装置。
【請求項３】
前記選択手段は、前記説明情報表示制御手段によって表示された説明情報の中の複数の単語をカーソルにより選択する表示中選択手段を有することを特徴とする請求項１又は２に記載の情報表示制御装置。
【請求項４】
前記選択手段により選択された複数の単語を連結した文字列からなる見出語を前記記憶手段の中から検索する連結検索手段と、
この連結検索手段により検索された見出語に対応づけられた説明情報を表示する制御を行う説明情報表示制御手段と、
を有することを特徴とする請求項１〜３のいずれか一項に記載の情報表示制御装置。
【請求項５】
記憶部と表示部とを有する情報表示制御装置のコンピュータを制御するための情報表示制御プログラムであって、
コンピュータを
前記記憶部に見出語と当該見出語の説明情報とを対応付けて複数記憶した記憶手段、
前記記憶部に複数の単語を含む例文を複数記憶した例文記憶手段、
前記記憶手段により記憶された見出語のうちのいずれかの見出語に対応づけられた説明情報を前記表示部に表示する制御を行う説明情報表示制御手段、
この説明情報表示制御手段によって表示された説明情報の中から、複数の単語を選択する選択手段、
この選択手段により選択された複数の単語を含む例文を、前記例文記憶手段により記憶された例文から検索する例文検索手段、
この例文検索手段により検索された例文を表示する制御を行う例文表示制御手段、
として機能させるようにした情報表示制御装置のコンピュータを制御するための情報表示制御プログラム。
【手続補正３】
【補正対象書類名】明細書
【補正対象項目名】０００１
【補正方法】変更
【補正の内容】
【０００１】
【発明の属する技術分野】
本発明は、例文を表示する制御を行う情報表示制御装置及び情報表示制御プログラムに関する。
【手続補正４】
【補正対象書類名】明細書
【補正対象項目名】００１８
【補正方法】変更
【補正の内容】
【００１８】
上記問題に鑑み、本発明は、説明情報中の複数の単語を指定して、その複数の単語に対応する情報を表示させることができる情報表示制御装置等を提供することを目的とする。
【手続補正５】
【補正対象書類名】明細書
【補正対象項目名】００１９
【補正方法】変更
【補正の内容】
【００１９】
【課題を解決するための手段】
以上の課題を解決するために、請求項１に記載の情報表示制御装置は、見出語と当該見出語の説明情報とを対応付けて複数記憶した記憶手段（例えば、図２の英和辞典ＤＢ２０４ａ）と、複数の単語を含む例文を複数記憶した例文記憶手段（例えば、図２の英和辞典例文ＤＢ２０４ｂ）と、前記記憶手段に記憶された見出語のうちのいずれかの見出語に対応づけられた説明情報を表示する制御を行う説明情報表示制御手段（例えば、図２のＣＰＵ１０；図１０のステップＡ２０）と、この説明情報表示制御手段によって表示された説明情報の中から、複数の単語を選択する選択手段（例えば、図２のＣＰＵ１０；図１０のステップＡ２８，Ａ３０）と、この選択手段により選択された複数の単語を含む例文を、前記例文記憶手段に記憶された例文から検索する例文検索手段（例えば、図２のＣＰＵ１０；図１１のステップＢ１０）と、この例文検索手段により検索された例文を表示する制御を行う例文表示制御手段（例えば、図２のＣＰＵ１０；図１１のステップＢ２４）と、を有することを特徴としている。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
請求項１に記載の発明によれば、説明情報の中から複数の単語を選択することができ、選択した複数の単語を含む例文を検索して表示することができる。
【手続補正８】
【補正対象書類名】明細書
【補正対象項目名】００２２
【補正方法】変更
【補正の内容】
【００２２】
請求項２に記載の発明は、請求項１に記載の情報表示制御装置において、前記例文記憶手段は種類毎に区分して例文を記憶する種類毎例文記憶手段（例えば、図２のＲＯＭ２０；２０４ｂ、２０６ｂ，２０８ｂ）を有し、前記例文表示制御手段は、前記例文検索手段により検索された各例文について、当該例文が区分された種類を表す識別子を当該例文に対応付けて表示する識別子表示手段（例えば、図２のＣＰＵ１０；図１１のステップＢ２４）を有することを特徴とする。
【手続補正９】
【補正対象書類名】明細書
【補正対象項目名】００２３
【補正方法】変更
【補正の内容】
【００２３】
請求項２に記載の発明によれば、例文検索手段により検索された各例文について、当該例文が区分された種類を表す識別子を当該例文に対応付けて表示するので、検索された例文の種類を容易に知ることができる。
【手続補正１０】
【補正対象書類名】明細書
【補正対象項目名】００２４
【補正方法】変更
【補正の内容】
【００２４】
請求項３に記載の発明は、請求項１又は２に記載の情報表示制御装置において、前記選択手段は、前記説明情報表示制御手段によって表示された説明情報の中の複数の単語をカーソルにより選択する表示中選択手段（例えば、図２のＣＰＵ１０；図１０のステップＡ２８）を有することを特徴とする。
【手続補正１１】
【補正対象書類名】明細書
【補正対象項目名】００２５
【補正方法】変更
【補正の内容】
【００２５】
請求項３に記載の発明によれば、前記説明情報表示制御手段によって表示された説明情報の中の複数の単語をカーソルにより容易に選択することが可能となる。従って、複数の単語を表示上で容易に選択して検索することができるようになる
【手続補正１２】
【補正対象書類名】明細書
【補正対象項目名】００２６
【補正方法】変更
【補正の内容】
【００２６】
請求項４に記載の発明は、請求項１〜３の何れか一項に記載の情報表示制御装置において、前記選択手段により選択された複数の単語を連結した文字列からなる見出語を前記記憶手段の中から検索する連結検索手段（例えば、図２のＣＰＵ１０；図１０のステップＡ４４、図１８のステップＤ１０）と、この連結検索手段により検索された見出語に対応づけられた説明情報を表示する制御を行う説明情報表示制御手段（例えば、図２のＣＰＵ１０；図１０のステップＡ４４、図１８のステップＤ１８）と、を有することを特徴とする。
【手続補正１３】
【補正対象書類名】明細書
【補正対象項目名】００２７
【補正方法】変更
【補正の内容】
【００２７】
請求項４に記載の発明によれば、選択された複数の単語を連結した文字列からなる見出語を前記記憶手段の中から検索して、検索された見出語に対応づけられた説明情報を表示することができる。例えば、United Statesのような複数単語で構成される見出語がユーザにより選択されても、単語を連結した文字列からなる見出語を前記記憶手段の中から検索するので、適切にUnited Statesを見出語とする説明情報を表示させることができる。
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】０１５４
【補正方法】変更
【補正の内容】
【０１５４】
【発明の効果】
請求項１に記載の発明によれば、説明情報の中から複数の単語を選択することができ、選択した複数の単語を含む例文を検索して表示することができる。
【手続補正３４】
【補正対象書類名】明細書
【補正対象項目名】０１５５
【補正方法】変更
【補正の内容】
【０１５５】
請求項２に記載の発明によれば、例文検索手段により検索された各例文について、当該例文が区分された種類を表す識別子を当該例文に対応付けて表示するので、検索された例文の種類を容易に知ることができる。
【手続補正３５】
【補正対象書類名】明細書
【補正対象項目名】０１５６
【補正方法】変更
【補正の内容】
【０１５６】
請求項３に記載の発明によれば、前記説明情報表示制御手段によって表示された説明情報の中の複数の単語をカーソルにより容易に選択することが可能となる。従って、複数の単語を表示上で容易に選択して検索することができるようになる。
【手続補正３６】
【補正対象書類名】明細書
【補正対象項目名】０１５７
【補正方法】変更
【補正の内容】
【０１５７】
請求項４に記載の発明によれば、選択された複数の単語を連結した文字列からなる見出語を前記記憶手段の中から検索して、検索された見出語に対応づけられた説明情報を表示することができる。例えば、United Statesのような複数単語で構成される見出語がユーザにより選択されても、単語を連結した文字列からなる見出語を前記記憶手段の中から検索するので、適切にUnited Statesを見出語とする説明情報を表示させることができる。
【手続補正３７】
【補正対象書類名】明細書
【補正対象項目名】０１５８
【補正方法】削除
【補正の内容】
【手続補正３８】
【補正対象書類名】明細書
【補正対象項目名】０１５９
【補正方法】削除
【補正の内容】
【手続補正３９】
【補正対象書類名】明細書
【補正対象項目名】０１６０
【補正方法】削除
【補正の内容】
【手続補正４０】
【補正対象書類名】明細書
【補正対象項目名】０１６１
【補正方法】削除
【補正の内容】
【手続補正４１】
【補正対象書類名】明細書
【補正対象項目名】０１６２
【補正方法】削除
【補正の内容】
【手続補正４２】
【補正対象書類名】明細書
【補正対象項目名】０１６３
【補正方法】削除
【補正の内容】
【手続補正４３】
【補正対象書類名】明細書
【補正対象項目名】０１６４
【補正方法】削除
【補正の内容】
【手続補正４４】
【補正対象書類名】明細書
【補正対象項目名】０１６５
【補正方法】削除
【補正の内容】